(57)【特許請求の範囲】
【請求項１】
挟持部を有する釣り竿受けを足場に固定するための竿受け用固定具であって、
前記挟持部を装着できるように構成され、その底面が前記足場に接地する台部と、
この台部の底面から下方に向かって突出し、当該台部を上下方向廻りに回転させることで前記足場にねじ込まれるねじ部と、
前記台部に設けられ、前記足場に打入可能な固着具が挿通される固着具挿通孔と
を備えている
ことを特徴とする竿受け用固定具。
【請求項２】
前記台部は、
前記ねじ部が設けられ前記足場に固定される座部と、
この座部に対し上下方向廻りに回転可能に設けられ、前記挟持部を装着できるように構成された回転部と
を備えている
ことを特徴とする請求項１記載の竿受け用固定具。
【請求項３】
前記回転部は、下方に突出してその周囲に雄ねじが形成された軸部を有しており、
前記座部は、
前記底面を有する底板と、
この底板から立ち上げられ、前記軸部が通される貫通孔が設けられた支持板と
を有しており、
前記回転部は、前記支持板の下方から前記軸部にナットを締結することで、前記支持板に固定できるように構成されている
ことを特徴とする請求項２記載の竿受け用固定具。
【発明の詳細な説明】
【技術分野】
【０００１】
本発明は、竿受け用固定具に関する。
【背景技術】
【０００２】
特許文献１には、釣り竿受け（特許文献１では竿保持具）が開示されている。この釣り竿受けによれば、釣り竿を、手で把持することなく船縁等に保持させることができる。
【０００３】
釣り竿受けは、Ｌ字状躯体の長躯と、締め付けねじとを有している。釣り竿受けは、長躯を船縁に当て、締め付けねじをねじ込み、これにより船縁を両側から挟むことで取り付けられる。
【先行技術文献】
【特許文献】
【０００４】
【特許文献１】特開２００３−２０４７４８号公報
【発明の概要】
【発明が解決しようとする課題】
【０００５】
このように、この種の釣り竿受けは、船縁を挟むことで取り付けられるため、例えば、筏の縁のように、挟む部分が存在しない場所では使用することができなかった。
【０００６】
本発明は、上記事情に鑑みてなされたものであり、その目的とするところは、ユーザーの望む場所に釣り竿受けの取り付けをすることができる竿受け用固定具を提供することにある。
【課題を解決するための手段】
【０００７】
本発明の竿受け用固定具は、挟持部を有する釣り竿受けを足場に固定するための竿受け用固定具であって、前記挟持部を装着できるように構成され、その底面が前記足場に接地する台部と、この台部の底面から下方に向かって突出し、当該台部を上下方向廻りに回転させることで前記足場にねじ込まれるねじ部と、前記台部に設けられ、前記足場に打入可能な固着具が挿通される固着具挿通孔とを備えていることを特徴とする。
【発明の効果】
【０００８】
本発明の竿受け用固定具によれば、ユーザーの望む場所に釣り竿受けの取り付けをすることができるようになる。
【図面の簡単な説明】
【０００９】
【図１】実施形態１の竿受け用固定具の使用状態を示す斜視図である。
【図２】実施形態１の竿受け用固定具の一部を破断した斜視図である。
【図３】実施形態１の竿受け用固定具の使用状態を示す平面図である。
【図４】実施形態１の竿受け用固定具の変形例を示す斜視図である。
【図５】実施形態２の竿受け用固定具の斜視図である。
【発明を実施するための形態】
【００１０】
以下、本発明の実施形態について添付図面に基づいて説明する。
（実施形態１）
本実施形態の竿受け用固定具３は、釣り竿受け２を足場７に固定するために用いられる。釣り竿受け２は、図１に示すように、釣り竿１を取り外し自在に支持する。釣り竿受け２に釣り竿１が支持されると、ユーザーは釣り竿１を手で把持しなくても、当該釣り竿１を足場７に保持させておくことができる。この釣り竿受け２は、竿支持部２１と、この竿支持部２１に固定された挟持部２４とを備えている。
【００１１】
竿支持部２１は、釣り竿１を支持して、当該釣り竿１を保持する部分である。竿支持部２１は、第一支持部２２と、第二支持部２３とを備えている。第一支持部２２は、釣り竿１の持ち手部分１１を支持する。第二支持部２３は、第一支持部２２から離れて配置されており、この第一支持部２２よりも釣り竿１の先端側を支持する。第一支持部２２は正面視Ｕ字状をしており、また第二支持部２３は正面視Ｙ字状をしており、これにより、第一支持部２２および第二支持部２３は釣り竿１を下方から支持することができる。
【００１２】
挟持部２４は、竿支持部２１を、船縁や本実施形態の竿受け用固定具３に取り付けるために設けられる（以下においては、竿受け用固定具３に取り付ける場合を説明する）。挟持部２４は、支持固定部２５と、押圧部２７とを備えている。支持固定部２５は、Ｌ字状をしており、少なくとも縦面２６を有している。押圧部２７は、縦面２６に対向配置されている。押圧部２７は、締め付けねじによって構成されており、縦面２６に対して、接離自在となるように構成されている。挟持部２４は、竿受け用固定具３を押圧部２７と支持固定部２５とで挟持するように構成されている。
【００１３】
このような構成の釣り竿受け２は、本実施形態の竿受け用固定具３を用いて、足場７に固定される。足場７としては、筏や釣り堀が例示される。なお、本実施形態の竿受け用固定具３は、足場７の縁（釣り池や海に面する縁）に、釣り竿受け２の挟持部２４を固定するための部分が存在しない場所に好適に用いられる。
【００１４】
竿受け用固定具３は、図２に示すように、台部４と、ねじ部３１とを備えている。台部４とねじ部３１とは一体となっており、ユーザーは台部４を掴みながら、ねじ部３１の軸廻り（上下方向廻り）に旋回させることで、竿受け用固定具３を足場７にねじ込み固定することができる。
【００１５】
台部４は、釣り竿受け２の挟持部２４が取り付けられる部分であり、挟持部２４を装着できるように構成されている。台部４は、座部４１と、この座部４１に対し上下方向廻りに回転可能に設けられた回転部５とを備えている。
【００１６】
座部４１は、底板４２と、この底板４２から立ち上げられた支持板４４とを有する。底板４２は、その下面（底面４３）が足場７に接地する。底板４２は、幅と長さとを有している。底板４２には、後述のねじ部３１と、固着具挿通孔４５とが、長さ方向に並んで配置されている。固着具挿通孔４５には、固着具８が挿通される。底板４２の長さ方向の一方の端縁からは、支持板４４が立ち上げられている。
【００１７】
支持板４４は、湾曲して上方に延びており、上面が水平に形成される（この水平な部分を水平部４６という）。支持板４４は、平面視で底板４２に重なるように構成される。支持板４４の下面は、底板４２の上面から一定寸法（具体的には、約８０ｍｍ）上方に位置している。支持板４４の水平部４６には、上下方向に貫通する貫通孔（図示せず）が設けられる。支持板４４には、この貫通孔を介して、回転部５が取り付けられる。
【００１８】
回転部５は、座部４１に対して、上下方向廻り（鉛直軸廻り）に回転可能に形成されている。回転部５は、直方体状に形成されており、釣り竿受け２の挟持部２４を装着できるように構成されている。具体的に、回転部５は、底部５１・側部５２・天面部５３からなる本体部５０と、軸部５４とを備える。
【００１９】
底部５１の下面は、水平面となっており、支持板４４の水平部４６に載置される。側部５２は、底部５１の縁から上方に向かって延出している。側部５２は、支持板４４の外周の全周に設けられている。天面部５３は、側部５２の上端に設けられている。
【００２０】
軸部５４は、底部５１の下面から下方に突出している。軸部５４の軸方向は、上下方向（鉛直方向）に平行である。軸部５４の周囲には雄ねじが形成されており、軸部５４にはナット５５（本実施形態では蝶ナット）を螺合することができる。軸部５４は、支持板４４の貫通孔に挿通され、この状態でナット５５を締結することで支持板４４に固定される。
【００２１】
なお、本実施形態の回転部５は、側部５２が４つの側板により構成されているが、底部５１と１つの側板とからなるＬ字形状をしたものであってもよく、直方体状に限定されない。
【００２２】
台部４の幅方向の両端には、座部４１から支持板４４に亙って連続するリブ片６が設けられている。このリブ片６によって、支持板４４と底板４２とが補強される。
【００２３】
このような構成の台部４には、底面４３から下方に向かって突出するねじ部３１が設けられている。
【００２４】
ねじ部３１は、座部４１の底板４２の下面（底面４３）から下方に突出している。ねじ部３１は、例えば、木ねじを底板４２に固着することで構成される。具体的には、底板４２に設けられた孔の上方から木ねじを挿入し、底板４２と木ねじとを溶接することにより構成される。ねじ部３１の先端は尖っており、足場７に当てて座部４１を旋回させるだけで、当該足場７にねじ込むことができる。
【００２５】
以上のような構成の竿受け用固定具３は、例えば、次のようにして使用される。
【００２６】
ユーザーは、筏などの足場７に、竿受け用固定部を取り付ける。ユーザーは、竿受け用固定部を把持し、ねじ部３１を足場７の上方から当てた状態で、当該竿受け用固定具３を旋回させてねじ込む。ユーザーは、座部４１の底板４２の下面が足場７に接地するまで、竿受け用固定具３を旋回させる。
【００２７】
次にユーザーは、図１に示すように、座部４１の底板４２が足場７に接地した状態で、固着具挿通孔４５に固着具８を打入し、竿受け用固定具３と足場７とを連結する。固着具８は、ねじや釘などが使用される。なお、ここでいう「打入」とは、釘のように打ち込んで固定するものだけでなく、ねじのようにねじ込んで固定するものも含まれる。
【００２８】
この後、ユーザーは、固定された竿受け用固定具３の回転部５を、釣り竿受け２の挟持部２４で挟み込み、竿受け用固定具３に釣り竿受け２を装着する。回転部５は、座部４１に対して回転可能となっているため、ユーザーは、釣り竿受け２の水平方向の向きを自由に変更することができる（図３参照）。また、釣り竿１の向きが定まった場合には、回転部５の軸部５４に螺合されたナット５５を締結して、その向きのまま回転部５を固定することもできる。
【００２９】
また、本実施形態の回転部５には、図２に示すように、複数の引掛け孔５６が設けられる。引掛け孔５６は、各角部に設けられる。引掛け孔５６は、角部を挟むように設けられた一対の透孔５７により構成される。この引掛け孔５６には、図１に示すように、釣り竿１に接続された尻手ロープ１２のフック１３が引掛けられる。これにより、仮に釣り竿１が釣り竿受け２から外れてしまっても、釣り竿１が釣り池等に没入するのを防ぐことができる。
【００３０】
以上、説明したように、本実施形態の竿受け用固定具３は、挟持部２４を有する釣り竿受け２を足場７に固定するためのものである。竿受け用固定具３は、台部４と、台部４の底面４３から下方に向かって突出するねじ部３１とを備えている。台部４は、挟持部２４を装着できるように構成されており、その底面４３が足場７に接地する。ねじ部３１は、台部４を上下方向廻りに回転させることで足場７にねじ込まれる。そして、台部４には、足場７に打入可能な固着具８が挿通される固着具挿通孔４５がさらに設けられている。
【００３１】
このように本実施形態の竿受け用固定具３によれば、台部４を把持して旋回させるだけで足場７に固定することができるので、簡単に足場７に取り付けることができる。このため、例えば、筏の縁のように、平坦な（挟む部分が存在しない）場所であっても、ユーザーの所望の場所に竿受け用固定具３を設置することができ、この結果、釣り竿受け２をこの位置に取り付けることができる。
【００３２】
しかも、本実施形態の竿受け用固定具３は、台部４に固着具挿通孔４５が設けられているため、竿受け用固定具３をねじ込んだ後、当該固着具挿通孔４５を用いて、足場７に固着具８を打入することができる。これにより、この固着具８が、竿受け用固定具３の回り止めとなり、また、足場７への設置強度を向上させることができる。従って、万が一、ねじ部３１がねじ込まれた場所が劣化していた場合であっても、固着具８による取り付け強度によって、竿受け用固定具３が足場７から外れてしまうのを防ぐことができる。
【００３３】
また、本実施形態の台部４は、座部４１と、回転部５とを備える。座部４１は、ねじ部３１が設けられており、足場７に固定される。回転部５は、この座部４１に対し上下方向廻りに回転可能に設けられており、挟持部２４を装着できるように構成される。
【００３４】
このため、本実施形態の竿受け用固定具３によれば、座部４１を足場７に固定した状態であっても、回転部５を回転させることで、釣り竿１の向きを容易に変更させることができる。
【００３５】
また、本実施形態の回転部５は、下方に突出してその周囲に雄ねじが形成された軸部５４を有している。座部４１は、底面４３を有する底板４２と、この底板４２から立ち上げられ、前記軸部５４が通される貫通孔４７が設けられた支持板４４とを有している。回転部５は、支持板４４の下方から軸部５４にナット５５を締結することで、支持板４４に固定できるように構成されている。
【００３６】
このため、本実施形態の竿受け用固定具３によれば、支持板４４の下方においてナット５５を締結するだけで、ユーザーは、所望の向きに変更した状態の釣り竿受け２を、その向きのままで簡単に保持させることができる。
【００３７】
なお、本実施形態の座部４１は、横倒しＵ字状をしていたが、座部４１はこの形状に限定されない。座部４１は、例えば、図４に示すような形状であってもよい。
【００３８】
この座部４１は、底面４３を有する底板４２と、支持板４４とを備える。底板４２には、上記実施形態と同様に、ねじ部３１と固着具挿通孔４５が設けられている。支持板４４は、横倒しＬ字状をしており、少なくとも水平部４６を有する。水平部４６には、上記実施形態の支持板４４と同様に、貫通孔（図示せず）が設けられている。そして、この貫通孔には、上記実施形態と同じ構造の回転部５が取り付けられる。
【００３９】
このような構造によっても、上記実施形態の竿受け用固定具３と同様の効果を奏することができる。
【００４０】
なお、実施形態１の竿受け用固定具３は、台部４の取り付け向きが、固着具挿通孔４５側がねじ部３１側よりも、足場７の縁側に位置するように設置されているが、この向きに限定されない。
（実施形態２）
次に、実施形態２について、図５に基づいて説明する。なお、本実施形態は、実施形態１と大部分において同じであるため、同じ部分においては同符号を付して説明を省略し、主に異なる部分について説明する。
【００４１】
本実施形態の竿受け用固定具３ａは、直方体形状の台部４ａの底面４３ａにねじ部３１ａが設けられている。台部４ａは、底面４３ａを有する底板４２ａと、側板部４８と、上面部４９とを備えている。側板部４８は、上下に開口した箱形状をしている。上面部４９は、側板部４８の上方開口を塞ぐように設けられている。
【００４２】
底板４２ａは、側板部４８の下方開口を塞ぐ下面部９１と、下面部９１の端縁から側方に延出する突出片９２とを備えている。突出片９２は、側板部４８よりも側方に突出している。突出片９２には、固着具挿通孔４５ａが設けられている。この固着具挿通孔４５ａには、実施形態１と同様、足場７に打入可能な固着具８が挿通される。
【００４３】
本実施形態の竿受け用固定具３ａは、実施形態１のものと同様、台部４ａを把持して旋回させるだけで足場７に固定することができるので、足場７への取り付けが容易である。しかも、台部４には、固着具挿通孔４５ａが設けられているため、竿受け用固定具３をねじ込んだ後、当該固着具挿通孔４５を用いて、足場７に固着具８を打入することができる。これにより、この固着具８が、竿受け用固定具３の回り止めとなる上に、足場７への取り付け強度を向上させることができる。
【符号の説明】
【００４４】
１      釣り竿
１１    持ち手部分
２      釣り竿受け
２１    竿支持部
２４    挟持部
３      竿受け用固定具
３１    ねじ部
４      台部
４１    座部
４２    底板
４３    底面
４４    支持板
４５    固着具挿通孔
４６    水平部
４７    貫通孔
４８    側板部
４９    上面部
５      回転部
５１    底部
５２    側部
５３    天面部
５４    軸部
５５    ナット
５６    引掛け孔
５７    透孔
６      リブ片
７      足場
８      固着具
９１    下面部
９２    突出片
【要約】
【課題】ユーザーの望む場所に釣り竿受けの取り付けをすることができる竿受け用固定具を提供する。
【解決手段】本発明は、挟持部２４を有する釣り竿受け２を足場７に固定するための竿受け用固定具３である。竿受け用固定具３は、台部４と、ねじ部３１と、固着具挿通孔４５とを備える。台部４は、挟持部２４を装着でき、その底面４３が足場７に接地するように構成される。ねじ部３１は、この台部４の底面４３から下方に向かって突出し、当該台部４を上下方向廻りに回転させることで足場７にねじ込まれる。固着具挿通孔４５は、台部４に設けられており、足場７に打入可能な固着具８が挿通される。
【選択図】図１【図１】
0005909267.tif 000002
【図２】
0005909267.tif 000003
【図３】
0005909267.tif 000004
【図４】
0005909267.tif 000005
【図５】
0005909267.tif 000006